(57)【要約】【課題】  ＬＡＮ端末に、接続のための特別なプロトコルの使用を要求することなく、一般的なプロトコルであるＤＮＳプロトコルを使用して、ゲートウェイ装置において、ＤＮＳネーム問い合わせ先との接続・切断を代行処理することができ、また、ＬＡＮ端末利用ユーザから、通信相手とその接続方法とを、ＤＮＳネーム問い合わせ情報として指定することができるゲートウェイ装置および通信接続方法を提供することを目的とするものである。【解決手段】  ＤＮＳネームプロトコルを使用して、ＬＡＮ端末と通信相手先との間で、接続と切断とを行う。【選択図】  図３
2006109316.tif 000002
【特許請求の範囲】
【請求項１】
複数のＬＡＮ端末の収容が可能であり、ＬＡＮ端末に代わって、通信相手先との接続を代行処理するとともに、上記ＬＡＮ端末からのパケットを上記通信相手先に中継処理し、かつ、設定されたパケット識別情報に基づいて、パケットの送受信回数を履歴情報として保持するゲートウェイ装置において、
上記ＬＡＮ端末から送出されたＤＮＳネーム問い合わせパケットを検出するＤＮＳネーム問い合わせパケット検出手段と；
上記ＤＮＳネーム問い合わせパケットを解析し、上記ＬＡＮ端末のアドレス、接続先情報、接続モード、接続情報を検出するＤＮＳネーム問い合わせパケット解析検出手段と；
外部サーバ情報と外部サーバアドレスとをそれぞれ複数、メモリに格納する外部サーバ情報等格納手段と；
上記外部サーバ情報と外部サーバアドレスとをそれぞれ複数、メモリに登録する外部サーバ情報等登録手段と；
ＤＮＳネーム問い合わせパケット解析検出手段が検出した接続先情報から、外部サーバ情報と外部サーバアドレスとを選択する選択手段と；
ＤＮＳネーム問い合わせパケット解析検出手段が検出した接続モード、接続情報を使用して、接続代行処理を起動する接続代行処理起動手段と；
タイマの値を格納するタイマ値格納手段と；
上記タイマの値を登録するタイマ値登録手段と；
上記タイマ満了時には、上記履歴情報を参照し、パケットの送受信回数が一定値以下であれば、切断処理する切断処理手段と；
を有し、上記ＬＡＮ端末が送出した上記ＤＮＳネーム問い合わせパケットを検出すると、第１に、上記ＤＮＳネーム問い合わせパケットに含まれている問い合わせ情報を解析し、接続先情報と接続モードと接続情報とを検出し、第２に、上記検出した接続先情報から外部サーバアドレスを選択し、外部サーバを介して、接続先情報のアドレスを解決し、第３に、上記検出した接続モード、接続情報を使用して、上記解決したアドレスとの通信に必要な接続処理を行い、第４に、上記アドレスを、ＤＮＳネーム回答パケットとして、送信元ＬＡＮ端末に転送するとともに、上記タイマを起動し、上記タイマ満了時には、上記履歴情報を参照し、パケットの送受信回数が一定値以下であれば、切断処理することを特徴とするゲートウェイ装置。
【請求項２】
請求項１において、
上記外部サーバ情報と上記外部サーバアドレスとは、ＤＮＳサーバとＳＩＰサーバのものであり、
検出した接続先情報が、ＩＰ電話番号またはＳＩＰ−ＵＲＩである場合、上記検出した接続情報と上記検出したＬＡＮ端末のアドレスとを、セッション情報として指定し、上記ＩＰ電話番号またはＳＩＰ−ＵＲＩに、ＳＩＰプロトコルによって接続し、接続先から通知されたアドレスを、上記ＤＮＳネーム問い合わせパケット送信元に、上記ＤＮＳネーム回答パケットとして転送し、
一方、検出した接続先情報が、ＩＰ電話番号またはＳＩＰ−ＵＲＩでない場合、上記検出した接続先情報を、上記ＤＮＳネーム問い合わせパケットとして、上記外部ＤＮＳサーバに転送し、上記外部ＤＮＳサーバからのＤＮＳネーム回答パケットを、ネーム問い合わせパケット送信元に転送することを特徴とするゲートウェイ装置。
【請求項３】
請求項１または請求項２において、
検出した接続モードが、セキュア接続である場合、
上記外部サーバを介して、接続先情報のアドレスを解決し、
上記アドレスとセキュア接続し、上記ＤＮＳネーム問い合わせパケット送信元アドレスから、上記アドレスを送信先とするＩＰパケットを、セキュア接続上に転送する設定を行い、
上記ネーム回答パケットで通知されたアドレスを、ネーム問い合わせパケット送信元に、ネーム回答パケットとして、転送することを特徴とするゲートウェイ装置。
【請求項４】
請求項１〜請求項３のうちのいずれか１項において、
検出した接続モードが、通信品質確保である場合、
検出した接続情報、ネーム問い合わせパケット送信元アドレス、接続情報先アドレスを用い、接続設定を行い、上記ネーム問い合わせパケット送信元アドレスから、上記接続情報先アドレスを送信先とするＩＰパケットを、通信品質制御することを特徴とするゲートウェイ装置。
【請求項５】
複数のＬＡＮ端末の収容が可能であり、ＬＡＮ端末に代わって、通信相手先との接続を代行処理するとともに、上記ＬＡＮ端末からのパケットを上記通信相手先に中継処理し、かつ、設定されたパケット識別情報に基づいて、パケットの送受信回数を履歴情報として保持する通信接続方法において、
上記ＬＡＮ端末から送出されたＤＮＳネーム問い合わせパケットを検出するＤＮＳネーム問い合わせパケット検出工程と；
上記ＤＮＳネーム問い合わせパケットを解析し、上記ＬＡＮ端末のアドレス、接続先情報、接続モード、接続情報を検出するＤＮＳネーム問い合わせパケット解析検出工程と；
外部サーバ情報と外部サーバアドレスとをそれぞれ複数、メモリに格納する外部サーバ情報等格納工程と；
上記外部サーバ情報と外部サーバアドレスとをそれぞれ複数、メモリに登録する登録工程と；
ＤＮＳネーム問い合わせパケット解析検出工程で検出した接続先情報から、外部サーバ情報と外部サーバアドレスとを選択する選択工程と；
ＤＮＳネーム問い合わせパケット解析検出工程で検出した接続モード、接続情報を使用して、接続代行処理を起動する接続代行処理起動工程と；
タイマの値を格納するタイマ値格納工程と；
上記タイマの値を登録するタイマ値登録工程と；
上記タイマ満了時には、上記履歴情報を参照し、パケットの送受信回数が一定値以下であれば、切断処理する切断処理工程と；
を有し、上記ＬＡＮ端末が送出した上記ＤＮＳネーム問い合わせパケットを検出すると、第１に、上記ＤＮＳネーム問い合わせパケットに含まれている問い合わせ情報を解析し、接続先情報と接続モードと接続情報とを検出し、第２に、上記検出した接続先情報から外部サーバアドレスを選択し、外部サーバを介して、接続先情報のアドレスを解決し、第３に、上記検出した接続モード、接続情報を使用して、上記解決したアドレスとの通信に必要な接続処理を行い、第４に、上記アドレスを、ＤＮＳネーム回答パケットとして、送信元ＬＡＮ端末に転送するとともに、上記タイマを起動し、上記タイマ満了時には、上記履歴情報を参照し、パケットの送受信回数が一定値以下であれば、切断処理することを特徴とする通信接続方法。
【発明の詳細な説明】
【技術分野】
【０００１】
本発明は、複数のＬＡＮ端末を収容することができ、ＬＡＮ端末に代わって、通信相手先との接続を代行処理するゲートウェイ装置に関するものである。
【背景技術】
【０００２】
ＩＰｓｅｃやＱｏＳ（通信品質）、さらには通信メディア情報のネゴシエーションのためのＳＩＰ接続を代行処理するゲートウェイ装置が実用化されている。
【０００３】
このゲートウェイ装置において、ＳＩＰ接続処理を代行するために、通信相手先毎に、接続のための情報を事前設定する必要がある。したがって、通信相手と接続方法とを、接続毎に変えたい場合には、その都度、通信相手と接続方法とを、ゲートウェイ装置で設定変更する必要がある。
【０００４】
ＲＳＶＰ（ＲＦＣ２２０５）、ＳＮＭＰ（ＲＦＣ１１５７）、ＳＩＰ（ＲＦＣ３２６１）、ＨＴＴＰ（ＲＦＣ２６２６）等のプロトコルを使用し、ＬＡＮ端末からゲートウェイ装置に、接続方法や接続のための情報を、接続毎に通知することはできるが、ＬＡＮ端末とゲートウェイ装置とにおいて、上記プロトコルに対応する必要がある。したがって、上記プロトコルに対応していないＬＡＮ端末について、ゲートウェイ装置が接続処理を代行することはできない。
【０００５】
ＬＡＮ端末において、通信相手先と接続する際、第１に、ＤＮＳ（ＲＦＣ１０３４、１０３５）プロトコルを使用し、アドレス解決を行うことが一般的である（たとえば、非特許文献１および非特許文献２参照）。
【非特許文献１】「DOMAIN NAMES - CONCEPTS AND FACILITIES」ＲＦＣ１０３４、１９８７年１１月（ＵＲＬ：http://www.funet.fi/pub/standards/RFC/rfc1034.txt）
【非特許文献２】「DOMAIN NAMES - IMPLEMENTATION AND SPECIFICATION」ＲＦＣ１０３５、１９８７年１１月（ＵＲＬ：http://www.funet.fi/pub/standards/RFC/rfc1035.txt）
【発明の開示】
【発明が解決しようとする課題】
【０００６】
上記従来例において、ＬＡＮ端末からのＤＮＳネーム問い合わせを契機に、ネーム問い合わせ先との間で自動接続することはできるが、ＩＰｓｅｃ（IP  security  protocol）やＱｏＳ（通信品質）、さらには、通信メディア情報のネゴシエーションのためのＳＩＰ接続等の接続方法を指定することができないという問題がある。
【０００７】
また、上記従来例では、接続前にＤＮＳネーム問い合わせをするが、切断時には、ＤＮＳネーム問い合わせを実行しないので、ＬＡＮ端末からゲートウェイ装置に対して、切断を指定することができないという問題がある。
【０００８】
本発明は、ＬＡＮ端末に、接続のための特別なプロトコルの使用を要求することなく、一般的なプロトコルであるＤＮＳプロトコルを使用して、ゲートウェイ装置において、ＤＮＳネーム問い合わせ先との接続・切断を代行処理することができ、また、ＬＡＮ端末利用ユーザから、通信相手とその接続方法とを、ＤＮＳネーム問い合わせ情報として指定することができるゲートウェイ装置および通信接続方法を提供することを目的とするものである。
【課題を解決するための手段】
【０００９】
本発明は、ＤＮＳネームプロトコルを使用して、ＬＡＮ端末と通信相手先との間で、接続と切断とを行う。
【発明の効果】
【００１０】
本発明によれば、ＬＡＮ端末に接続するための特別なプロトコルの使用を要求することなく、一般的なプロトコルであるＤＮＳプロトコルを使用して、ゲートウェイ装置が、ＤＮＳネーム問い合わせ先との接続・切断を代行処理することができ、また、ＬＡＮ端末利用ユーザから、通信相手とその接続方法とを、ＤＮＳネーム問い合わせ情報として指定することができるという効果を奏する。
【発明を実施するための最良の形態】
【００１１】
発明を実施するための最良の形態は、以下の実施例である。
【実施例１】
【００１２】
図１は、本発明の実施例１であるゲートウェイ装置１０の接続構成例を示す図である。
【００１３】
ゲートウェイ装置１０は、複数のＬＡＮ端末の収容が可能であり、ＬＡＮ端末に代わって、通信相手先との接続を代行処理するとともに、上記ＬＡＮ端末からのパケットを上記通信相手先に中継処理し、かつ、設定されたパケット識別情報に基づいて、パケットの送受信回数を履歴情報として保持するゲートウェイ装置である。
【００１４】
ここでは、ＩＰ電話番号、ＳＩＰ−ＵＲＩ、ＦＱＤＮ（Fully Qualified Domain Name：完全修飾ドメインネーム）の何れかを、「接続先情報」として指定可能とし、接続モードである旨の文字コードに続いて、ＱｏＳ接続、ＩＰｓｅｃ接続のうちの少なくとも１つの接続を、「接続モード」として指定可能である。
【００１５】
また、接続情報である旨の文字コードに続いて、メディア毎のポート番号またはポート番号、ＱｏＳクラス、送信レートの少なくとも１つを、「接続情報」として指定可能である。
【００１６】
ＬＡＮ端末２０は、ゲートウェイ装置１０に収容されているＬＡＮ端末の１台である。
【００１７】
ＳＩＰサーバ３０は、ゲートウェイ装置１０から、ＩＰネットワークを介して接続可能なサーバである。
【００１８】
ＤＮＳサーバ４０は、ゲートウェイ装置１０から、ＩＰネットワークを介して接続可能なサーバである。
【００１９】
相手端末５０は、ＬＡＮ端末２０の通信先となる相手端末である。
【００２０】
図１（１）は、ゲートウェイ装置１０が、ＬＡＮ端末２０に代わって相手端末５０と、ＳＩＰ接続を代行処理する際の接続構成例を示す図である。図１（２）は、ゲートウェイ装置１０が、ＬＡＮ端末２０に代わって相手端末５０と、ＩＰｓｅｃ接続を代行処理する際の接続構成例を示す図である。
【００２１】
図１において、実線は、相手端末５０との接続信号の流れを示す線であり、二重線は、ＬＡＮ端末２０と相手端末５０との間で送受信されるＩＰパケットの流れを示す線であり、点線は、ＤＮＳメッセージの流れを示す線である。
【００２２】
図２は、ゲートウェイ装置１０の構成例を示す図である。
【００２３】
ゲートウェイ装置１０は、通信接続手段１１と、パケット中継手段１２と、接続代行処理手段１３とを有する。
【００２４】
パケット中継手段１２は、設定されたパケット識別情報に基づいて、該当するパケットの送受信回数を履歴情報として保持する。
【００２５】
接続代行処理手段１３は、ＬＡＮ端末２０に代わって、相手端末５０と接続処理を代行する。
【００２６】
つまり、通信接続手段１１は、ＬＡＮ端末から送出されたＤＮＳネーム問い合わせパケットを検出するＤＮＳネーム問い合わせパケット検出手段の例であり、上記ＤＮＳネーム問い合わせパケットを解析し、上記ＬＡＮ端末のアドレス、接続先情報、接続モード、接続情報を検出するＤＮＳネーム問い合わせパケット解析検出手段の例であり、外部サーバ情報と外部サーバアドレスとをそれぞれ複数、メモリに格納する外部サーバ情報等格納手段の例であり、上記外部サーバ情報と外部サーバアドレスとをそれぞれ複数、メモリに登録する外部サーバ情報等登録手段の例であり、ＤＮＳネーム問い合わせパケット解析検出手段が検出した接続先情報から、外部サーバ情報と外部サーバアドレスとを選択する選択手段の例であり、タイマの値を格納するタイマ値格納手段の例であり、上記タイマの値を登録するタイマ値登録手段の例であり、上記タイマ満了時には、上記履歴情報を参照し、パケットの送受信回数が一定値以下であれば、切断処理する切断処理手段の例である。
【００２７】
なお、外部サーバ情報等格納手段は、外部サーバ情報と外部サーバアドレスとを組にした場合、その組を複数、格納する。外部サーバ情報等登録手段は、外部サーバ情報と外部サーバアドレスとを組にした場合、その組を複数、登録する。また、上記「格納」は、ゲートウェイ装置１０の内部に蓄積する保持であり、上記「登録」は、ゲートウェイ装置１０の外部から保持する動作である。
【００２８】
また、接続代行処理手段１３は、ＤＮＳネーム問い合わせパケット解析検出手段が検出した接続モード、接続情報を使用して、接続代行処理を起動する接続代行処理起動手段の例である。
【００２９】
すなわち、ゲートウェイ装置１０は、ＬＡＮ端末が送出したＤＮＳネーム問い合わせパケットを検出すると、第１に、上記ＤＮＳネーム問い合わせパケットに含まれている問い合わせ情報を解析し、接続先情報と接続モードと接続情報とを検出し、第２に、上記検出した接続先情報から外部サーバアドレスを選択し、外部サーバを介して、接続先情報のアドレスを解決し、第３に、上記検出した接続モード、接続情報を使用して、上記解決したアドレスとの通信に必要な接続処理を行い、第４に、上記アドレスを、ＤＮＳネーム回答パケットとして、送信元ＬＡＮ端末に転送するとともに、上記タイマを起動し、上記タイマ満了時には、上記履歴情報を参照し、パケットの送受信回数が一定値以下であれば、切断処理するゲートウェイ装置の例である。
【００３０】
図３は、ゲートウェイ装置１０の接続シーケンスである。
【００３１】
まず、ＬＡＮ端末２０は、接続先情報、接続モード、接続情報とを、ＱＮＡＭＥフィールドで指定したＤＮＳネーム問い合わせパケットで、ゲートウェイ装置１０に送信する。
【００３２】
図４、図５、図６、図７は、図２に示す通信接続手段１１の動作を示すフローチャートである。
【００３３】
ゲートウェイ装置１０は、ＤＮＳネーム問い合わせパケットを検出すると、ＱＮＡＭＥフィールドから、接続先情報、接続モード、接続情報を抽出し（Ｓ１）、接続先情報がＩＰ電話番号ではない場合か、または、接続モード、接続先情報の指定がない場合（Ｓ２）、外部ＤＮＳサーバ４０にＤＮＳネーム問い合わせを転送する（Ｓ３）。
【００３４】
接続先情報がＩＰ電話番号であれば（Ｓ３）、指定された接続先情報に対して、同じく指定された接続モード、接続情報を使用して、接続処理する（Ｓ４）。
【００３５】
接続処理では、接続先情報がＩＰ電話番号、またはＳＩＰ−ＵＲＩである場合（Ｓ５）、接続情報とＤＮＳネーム問い合わせ元ＬＡＮ端末のアドレスとを、セッション情報として指定し、接続代行処理手段１３を介して、ＳＩＰセッション接続処理を行う（Ｓ６）。
【００３６】
ここで、ＳＩＰセッション接続処理は、外部ＳＩＰサーバ３０を介して、接続代行処理手段１３と相手端末５０とが行う。ＳＩＰセッション接続が正常完了すると（Ｓ１０）、接続設定処理を行う（Ｓ１１）。ＳＩＰセッション接続が正常完了しなければ（Ｓ１０）、ＤＮＳネーム問い合わせ元ＬＡＮ端末２０に対して、エラーの旨のＤＮＳネーム回答を送信し、処理を終了する（Ｓ１２）。
【００３７】
一方、接続先情報が、ＩＰ電話番号またはＳＩＰ−ＵＲＩではない場合（Ｓ５）、接続先情報のアドレスを解決するために、外部ＤＮＳサーバ４０に対して、ＤＮＳネーム問い合わせを送信する（Ｓ７）。
【００３８】
外部ＤＮＳサーバ４０からネーム回答を受信し、しかも、エラーの旨の回答でない場合（Ｓ８）、上記ＤＮＳネーム回答で指定されたアドレスに対して、接続代行処理手段１３を介して、ＩＰｓｅｃ接続処理を行う（Ｓ９）。
【００３９】
ＩＰｓｅｃ接続が正常完了した場合（Ｓ１０）、接続設定処理を行う（Ｓ１１）。ＤＮＳサーバからネーム回答を受信できないか、または、エラーの旨の回答を受信した場合（Ｓ８）、および、ＩＰｓｅｃ接続が正常完了しなかった場合（Ｓ１０）に、ＤＮＳネーム問い合わせ元ＬＡＮ端末２０に、エラーの旨のＤＮＳネーム回答を送信し（Ｓ１２）、処理を終了する。
【００４０】
接続設定処理では、接続モードにＱｏＳ（通信品質）の旨の指定がある場合（Ｓ１３）、接続情報で指定されたクラス、送信レート、ポート番号、および送信先／元アドレスをＱｏＳ制御するのためのパラメータ情報を、パケット中継手段１２に設定する（Ｓ１４）。なお、以降、パケット中継手段１２では、ＬＡＮ端末２０からのパケット転送時に、上記パラメータ情報との一致判定を、パケット毎に実行し、一致した場合、パラメータ情報に従ってＱｏＳ制御を行う。
【００４１】
続いて、接続モードとしてＩＰｓｅｃ接続が指定されている場合（Ｓ１５）、上記送信先／元アドレスを使用して、ＩＰｓｅｃ接続上にパケット転送するための経路設定を、パケット中継手段１２に行い（Ｓ１６）、ＤＮＳネーム問い合わせ元ＬＡＮ端末２０に、ＤＮＳネーム回答を送信し（Ｓ１７）、上記パラメータ情報を用い、接続状態監視設定を行い、処理を終了する（Ｓ１８）。
【００４２】
接続モードにＱｏＳの旨の指定がなく（Ｓ１３）、ＩＰｓｅｃ接続する指定がある場合（Ｓ１５）、上記送信先／元アドレスを使用して、ＩＰｓｅｃ接続上にパケット転送するための経路設定を、パケット中継手段１２に行い（Ｓ１６）、ＤＮＳネーム問い合わせ元ＬＡＮ端末２０に、ＤＮＳネーム回答を送信し（Ｓ１７）、上記パラメータ情報を用い、接続状態監視設定を行い、処理を終了する（Ｓ１８）。
【００４３】
接続モードにＱｏＳ（Ｓ１３）、ＩＰｓｅｃ接続のいずれの指定もない場合（Ｓ１５）、ＤＮＳネーム問い合わせ元ＬＡＮ端末２０に、ＤＮＳネーム回答を送信し（Ｓ１７）、上記パラメータ情報を用い、接続状態監視設定を行い（Ｓ１８）、リターンする。
【００４４】
接続状態監視設定が行われると、接続状態監視処理が起動され、この接続状態監視処理の起動時にタイマを開始し（Ｓ１９）、タイマ満了（Ｓ２０）またはＳＩＰセッション切断要求を検出すると（Ｓ２１）、パケット中継手段１２からログ情報を読み出し（Ｓ２２）、パケット転送履歴が一定値以上であれば（Ｓ２３）、再度タイマを開始する。パケット転送履歴が一定値未満であれば（Ｓ２３）、接続し続ける必要がないので、該当する接続の切断処理を行い（Ｓ２４）、接続設定をクリアし、処理を終了する（Ｓ２５）。
【００４５】
上記実施例によれば、ゲートウェイ装置１０において、ＤＮＳネーム問い合わせ先との接続・切断の代行処理が可能になるとともに、通信相手とその接続方法とを併せＤＮＳネーム問い合わせ情報として、ＬＡＮ端末利用ユーザが指定である。
【００４６】
また、上記実施例において、上記外部サーバ情報と上記外部サーバアドレスとは、ＤＮＳサーバとＳＩＰ（Session Initiation Protocol）サーバのものであり、検出した接続先情報が、ＩＰ電話番号またはＳＩＰ−ＵＲＩである場合、上記検出した接続情報と上記検出したＬＡＮ端末のアドレスとを、セッション情報として指定し、上記ＩＰ電話番号またはＳＩＰ−ＵＲＩに、ＳＩＰプロトコルによって接続し、接続先から通知されたアドレスを、上記ＤＮＳネーム問い合わせパケット送信元に、上記ＤＮＳネーム回答パケットとして転送し、一方、検出した接続先情報が、ＩＰ電話番号またはＳＩＰ−ＵＲＩでない場合、上記検出した接続先情報を、上記ＤＮＳネーム問い合わせパケットとして、上記外部ＤＮＳサーバに転送し、上記外部ＤＮＳサーバからのＤＮＳネーム回答パケットを、ネーム問い合わせパケット送信元に転送する。
【００４７】
これによって、ＬＡＮ端末がＳＩＰプロトコルに対応していなくても、そのＬＡＮ端末が、ＩＰ電話や映像通信接続することができる。
【００４８】
さらに、上記実施例において、検出した接続モードが、セキュア接続である場合、上記外部サーバを介して、接続先情報のアドレスを解決し、上記アドレスとセキュア接続し、上記ＤＮＳネーム問い合わせパケット送信元アドレスから、上記アドレスを送信先とするＩＰパケットを、セキュア接続上に転送する設定を行い、上記ネーム回答パケットで通知されたアドレスを、ネーム問い合わせパケット送信元に、ネーム回答パケットとして、転送する。
【００４９】
これによって、ＬＡＮ端末からの指示によって、ゲートウェイ装置１０において、不特定対地とのＩＰｓｅｃ接続が可能になる。
【００５０】
そして、上記実施例において、検出した接続モードが、通信品質確保である場合、検出した接続情報、ネーム問い合わせパケット送信元アドレス、接続情報先アドレスを用い、接続設定を行い、上記ネーム問い合わせパケット送信元アドレスから、上記接続情報先アドレスを送信先とするＩＰパケットを、通信品質制御する。
【００５１】
これによって、ＬＡＮ端末からの指示によって、ゲートウェイ装置１０において、不特定対地との通信品質確保型接続が可能になる。
【図面の簡単な説明】
【００５２】
【図１】本発明の実施例１であるゲートウェイ装置１０の接続構成例を示す図である。
【図２】ゲートウェイ装置１０の構成例を示す図である。
【図３】ゲートウェイ装置１０の接続シーケンスである。
【図４】通信接続手段１１の動作を示すフローチャートである。
【図５】通信接続手段１１の動作を示すフローチャートである。
【図６】通信接続手段１１の動作を示すフローチャートである。
【図７】通信接続手段１１の動作を示すフローチャートである。
【符号の説明】
【００５３】
１０…ゲートウェイ装置、
１１…通信接続手段、
１２…パケット中継手段、
１３…接続代行処理手段、
２０…ＬＡＮ端末、
３０…ＳＩＰサーバ、
４０…ＤＮＳサーバ、
５０…相手端末。
【図１】
2006109316.tif 000003
【図２】
2006109316.tif 000004
【図３】
2006109316.tif 000005
【図４】
2006109316.tif 000006
【図５】
2006109316.tif 000007
【図６】
2006109316.tif 000008
【図７】
2006109316.tif 000009